(57)【要約】【課題】  携帯用小銭入れで、瞬時に数種の硬貨を自動的に分別して収納し、使用者が硬貨の早出し早入れを容易にできる、複雑なメカニズム操作を必要としない簡単な構造のものを実現する。【解決手段】  硬貨の種類に応じた複数の収納部２、３、４、５を縦方向直列に設けて、各収納部の上部は開放して各下端に逆流防止弁１７を設け、底部に瞬時に数枚の硬貨を同時通過させるための複数の長方形孔６、２１、２２と、収納する硬貨を収納部内に弾き出す傾斜長方形孔７、８を設けて、最上の収納部から順次下方へと収納する硬貨の直径より小さい直径の硬貨を自然落下させて、更に次の下の各収納部に依り自動的に硬貨を分別収納する。【選択図】  図１
2006158925.tif 000002
【特許請求の範囲】
【請求項１】
硬貨を種類毎に分別する複数の収納部（２、３、４、５）を縦方向直列に設けて、各収納部（２、３、４）の下端に斜め下方向に突出した柔軟性ある逆流防止弁（１７）を設け、各収納部（２、３、４）の底部には、数枚の硬貨を同時に通過させる幅で上から下へと次の収納部に収納する硬貨の直径より僅かに大きい長さに設定した数種の長方形孔（６、２１、２２）を設けた分別手段に、各案内板（９、１０）の各傾斜段差（１１、１２）に依って収納する硬貨を収納部内に弾き出す各傾斜長方形孔（７、８）を各長方形孔（２１、２２）と併設し、各傾斜長方形孔（７、８）が分別を誤っても更に各長方形孔（２１、２２）に依り完全に分別し、また、各長方形孔（２１、２２）が満員になっても、各傾斜長方形孔（７、８）に依り、より小さい硬貨の通過を妨げないようにしたことを特徴とする携帯用小銭入れ。
【発明の詳細な説明】
【技術分野】
【０００１】本発明は多種の硬貨を自動的に分別する機能を有する携帯用の小銭入れに関する。
【背景技術】
【０００２】携帯が容易な小型で硬貨を種類毎に分別して収納できる小銭入れは、ガマグチ型のもので内部に多数の仕切りを設けたものは従来から有り、使用者は各仕切りの中に予め自分で定めた場所に一定種類の硬貨を入れておいて、支払い時に素早く硬貨を取り出し易いよう工夫していた。しかし上記ガマグチ型では、硬貨を受け取った時に自分で各仕切りの中に硬貨を分類して入れておく必要が有り、小銭入れからの取り出しは早いが、釣り銭を受け取ってから各仕切りの中の所定位置へ小銭を収納することは面倒で手間の掛かる不便さがあった。【０００３】そこで、この不便を解消するために、硬貨を自動的に分別して収納する機能を持った小銭入れが従来の特許文献にて提案されていた。（例えば、特許文献１参照。）
【特許文献１】特開平１０−１７９２２７（図１）
以下、上記特許文献１の図１により、提案されていた硬貨分別機能付き小銭入れについて説明すると、図１の構成は、硬貨分配器である回動レバ−による硬貨選別機構を設けて、使用者が回動レバ−を操作してストッパ−を停止し、硬貨入れ本体を振るなどして硬貨を選別収納する。その結果、硬貨を分別する目的は達成されるが、回動レバ−を絶えず廻して選別収納するためのメカニズム操作を必要とする欠点が残されていた。
【発明の開示】
【発明が解決しようとする課題】
【０００４】現時点での特許文献では、携帯用小銭入れの自動的に硬貨を分別する実用的なもので、硬貨の早出し早収納が極く簡単に即座にできるものは無く、有っても上記特許文献１のような使用者の面倒なメカニズム操作を必要とするもので、使用者にとっては扱いにくい感があり今一つ普及していない。そこで本発明では、この点を解決して使用者が従来の小銭入れと同じように気軽に扱っても、硬貨の出し入れは従来にない便利さを発揮する、硬貨分別が非常に簡単なものを実現する。
【課題を解決するための手段】
【０００５】図１のように、上面が開放され、底部に第一長方形孔６を設けた第一収納部２と、底部に第一傾斜長方形孔７と第二長方形孔２１を設けた収納部３、底部に第二傾斜長方形孔８と第三長方形孔２２を設けた第三収納部４及び最下収納部５をベ−スシ−ト１に縦方向直列に設けた。上記、第一、第二傾斜長方形孔７、８は、第一、第二案内板９、１０の第一、第二傾斜段差１１、１２の傾斜に依って硬貨を収納部内前方に弾き出し、収納する硬貨より小さい直径の硬貨は通過させる形状で、図５（Ａ）のように第一収納部２には第一長方形孔６を３個ずつ設け、図５（Ｂ）のように第二収納部３には第一傾斜長方形孔７と第二長方形孔２１を３個ずつ設け、図５（Ｃ）のように第三収納部には第二傾斜長方形孔８と第三長方形孔２２を３個ずつ設けた。このように第一、第二、第三収納部２、３、４の底面に上から順番に直径の大きい硬貨から順次収納される大きさの各種長方形孔を設定しておけば、ただ一番上の第一収納部２に数種の硬貨が混在したまま入れるだけで、硬貨の自重で自然落下した硬貨は第一長方形孔６、第一、第二傾斜長方形孔７と８及び第二、第三長方形孔２１、２２により自動的に分別されて、一定の収納部に一定の硬貨が収納される。即ち図６、図７に示すように、第一収納部２に一番大きい５００円硬貨１３が収納され、第二収納部３には二番目に大きい１０円硬貨１４が収納され、第三収納部４には三番目に大きい１００円硬貨１５が収納され、最後に一番小さい１円硬貨１６が最下収納部に収納されて完了する。第一長方形孔６と第二、第三長方形孔２１、２２の大きさ寸法及び第一、第二傾斜長方形孔７、８の平面上投影面積寸法の決定条件は、長方形の前後方向短辺寸法は数枚の硬貨が瞬時に同時通過できる５ミリ程度であれば良く、長辺寸法については各収納部２、３、４について異なり、各収納部に収納する硬貨直径より小さくて、直ぐ下の収納部に収納する硬貨の直径より僅かに０．２ミリ程度大きい余裕があれば良い。第一、第二傾斜長方形孔７、８に第二、第三長方形孔２１、２２が平行して設けられているのは、第一、第二傾斜長方形孔７、８が硬貨の分別時に間違って、より小さい硬貨をも弾き出してしまった場合でも、平行に設けた第二、第三長方形孔２１、２２が更に分別対応して第一、第二傾斜長方形孔７、８の空き状態が常に保持されるため、より小さい硬貨の通過を妨げることなく分別動作を続けることができる。この分別動作の進行は、硬貨の自然落下に依るものであるから殆ど瞬時に終わり、進行中には使用者は何らのメカニズム操作も必要とせずに自動的に完了し、瞬時に数枚の硬貨を通過させるので、自動分別機能は今迄にない迅速化が可能となった。
【発明の効果】
【０００６】本発明を買物時に使用すると、受け取った釣り銭を数種の硬貨が混在したままで、一番上の第一収納部に入れるだけで、各硬貨は殆ど瞬時に分別されて所定の収納部に収納されるので、支払いのため硬貨を取り出したい時は、所定の各収納部から素早く取り出せ小銭での支払いが非常に楽になり、買物の迅速化が可能となる。
【発明を実施するための最良の形態】
【０００７】図１のように各収納部２、３、４、５の左右両端には布製の扇マチ２０を設けて硬貨を取り出し易いようにし、更に小銭入れを上下逆にして持つと収納部内の硬貨が逆流して収納部外に脱落するので、各収納部２、３、４の下端に斜め下方向に突出するゴム板状の逆流防止弁１７を設けた。また携帯する時は、図８左図のように、最下収納部５前面を矢印Ａの方向に直ぐ上の第三収納部４に押し付けながら、ベ−スシ−ト１の上部を矢印Ｂの方向に折り曲げてベ−スシ−ト１上端のフアスナ−オス１８を最下収納部５上端のフアスナ−メス１９に嵌めれば、図８右図のように小型化されて携帯に便利となる。分別対象の硬貨は、収納部を増やすことによって５０円や５円も同じ理論で分別することは寸法的に可能で、構成する材質としてはプラスチックで、革または布を使用すれば図９のようにガマグチ型のものに変えることもできる。
【図面の簡単な説明】
【０００８】
【図１】  本発明を示す斜視図である。
【図２】  本発明を示す正面図である。
【図３】  本発明を示す側面図である。
【図４】  上記図３側面図でのＲ−Ｓ断面図である。
【図５】  （Ａ）は本発明平面図、（Ｂ）（Ｃ）は図３のＤ−Ｅ断面図とＦ−Ｇ断面図である。
【図６】  図４のＲ−Ｓ断面図に硬貨が収納された状態を示す参考図である。
【図７】  図６に対応する図３に硬貨が収納された状態を示す参考図である。
【図８】  本発明の折畳み形態と折畳み手順を示す説明図である。
【図９】  本発明をガマグチ型に変えた場合の斜視図である。
【符号の説明】
【０００９】  １  ベ−スシ−ト
２  第一収納部
３  第二収納部
４  第三収納部
５  最下収納部
６  第一長方形孔
７  第一傾斜長方形孔
８  第二傾斜長方形孔
９  第一案内板
１０  第二案内板
１１  第一傾斜段差
１２  第二傾斜段差
１３  ５００円硬貨
１４  １０円硬貨
１５  １００円硬貨
１６  １円硬貨
１７  逆流防止弁
１８  フアスナ−オス
１９  フアスナ−メス
２０  扇マチ
２１  第二長方形孔
２２  第三長方形孔
２３  ガマグチ型外被
２４  留め金
【図１】
2006158925.tif 000003
【図２】
2006158925.tif 000004
【図３】
2006158925.tif 000005
【図４】
2006158925.tif 000006
【図５】
2006158925.tif 000007
【図６】
2006158925.tif 000008
【図７】
2006158925.tif 000009
【図８】
2006158925.tif 000010
【図９】
2006158925.tif 000011